(57)【要約】【課題】録画番組が同一番組名で複数回に渡って放送されるものであっても使用者が視聴を希望する録画番組を探索することを容易とする情報記録再生装置を提供する。【解決手段】チューナ部２で選局された録画対象のテレビ番組の映像音声データを記録媒体（例えばハードディスク）に記録する際にチューナ部２で選局された録画対象のテレビ番組のＥＰＧデータもチューナ部２により選局された録画対象のテレビ番組の映像音声データと対応させて記録媒体に記録させるＥＰＧ記録手段と、詳細情報表示対象のテレビ番組のＥＰＧデータを記録媒体から読み出し、詳細情報表示対象のテレビ番組に関する同一番組名の各回で共通していない情報を表示するための表示信号を生成する表示信号生成手段とを備える情報記録再生装置。【選択図】図１
2009049802.tif 000002
【特許請求の範囲】
【請求項１】
テレビ番組を選局するチューナと、
前記チューナにより選局された録画対象のテレビ番組の映像音声データを記録媒体に記録する記録手段と、
前記記録媒体に記録されている映像音声データを再生する再生手段と、
前記チューナで選局された録画対象のテレビ番組の映像音声データを前記記録媒体に記録する際に前記チューナで選局された録画対象のテレビ番組のＥＰＧデータも前記チューナにより選局された録画対象のテレビ番組の映像音声データと対応させて前記記録媒体に記録させるＥＰＧ記録手段と、
詳細情報表示対象のテレビ番組のＥＰＧデータを前記記録媒体から読み出し、前記詳細情報表示対象のテレビ番組に関する同一番組名の各回で共通していない情報を表示するための表示信号を生成する表示信号生成手段とを備えることを特徴とする情報記録再生装置。
【請求項２】
前記表示信号生成手段が、前記詳細情報表示対象のテレビ番組のＥＰＧデータ及び映像音声データを前記記録媒体から読み出し、前記詳細情報表示対象のテレビ番組に関する同一番組名の各回で共通していない情報と前記詳細情報表示対象のテレビ番組に関するサムネイル画像とを並べて表示するための表示信号を生成する請求項１に記載の情報記録再生装置。
【請求項３】
前記記録媒体に記録されている映像音声データの一覧を表示するための表示信号を生成する一覧表示信号生成手段を備え、
前記一覧表示信号生成手段の出力により表示手段に前記記録媒体に記録されている映像音声データの一覧が表示されている状態において、前記記録媒体に記録されている映像音声データの一覧の中から特定の映像音声データが操作手段により選択されると、前記特定の映像音声データが属するテレビ番組が前記詳細情報表示対象のテレビ番組となる請求項１又は請求項２に記載の情報記録再生装置。
【請求項４】
前記記録媒体がハードディスクである請求項１〜３のいずれか１項に記載の情報記録再生装置。
【請求項５】
前記ＥＰＧ記録手段が、前記チューナで選局された録画対象のテレビ番組の前記記録媒体への記録開始時に前記チューナで選局された録画対象のテレビ番組のＥＰＧデータも前記チューナにより選局された録画対象のテレビ番組の映像音声データと対応させて前記記録媒体に記録させ、前記チューナで選局された録画対象のテレビ番組の前記記録媒体への記録終了時に前記チューナで選局された録画対象のテレビ番組のＥＰＧデータを取得し、記録開始時に前記記録媒体に記録させた前記チューナで選局された録画対象のテレビ番組のＥＰＧデータから有る場合は、記録終了時における前記チューナで選局された録画対象のテレビ番組のＥＰＧデータを上書きする請求項１〜４のいずれか１項に記載の情報記録再生装置。
【発明の詳細な説明】
【技術分野】
【０００１】
本発明は、テレビ番組の記録／再生を行う情報記録再生装置に関する。
【背景技術】
【０００２】
従来より、テレビ番組の記録／再生を行う情報記録再生装置（例えば、ハードディスクレコーダやＤＶＤレコーダ等）は、録画時に、録画対象番組の映像音声データ（タイトル）とそのタイトルに対応したインデックスデータとを記録媒体に記録し、使用者が再生可能タイトル一覧を表示させるためのリモコン操作を行うことにより、前記記録媒体に記録されているタイトルに対応するインデックスの一覧を表示するための表示信号を、外部接続されているテレビに出力し、使用者が再生タイトルを選択することを容易にしている。
【０００３】
使用者が録画予約を実行するためのリモコン操作を行うことにより、録画日、録画チャンネル、録画開始時間、録画終了時間、及び録画モードが指定されて録画予約が行われる場合、タイトルに対応したインデックスデータは、通常、録画日及び録画チャンネルのみによって構成される（例えば、特許文献１第５頁１６〜２１行参照）ので、前記記録媒体に記録されているタイトルに対応するインデックスの一覧は、図５に示すような表示になる。また、使用者がＥＰＧ録画予約を実行するためのリモコン操作を行うことにより、ＥＰＧ（Electronic Program Guide）を用いた録画予約が行われる場合、タイトルに対応したインデックスデータは、通常、録画日、録画チャンネル、及び番組名のみによって構成される（特許文献１第６頁１〜５行参照）ので、前記記録媒体に記録されているタイトルに対応するインデックスの一覧は、図６に示すような表示になる。
【０００４】
なお、一つのタイトルは、通常、一つの番組の映像音声データのみによって構成されるが、使用者のリモコン操作により複数の番組の連続録画が指示された場合は、一つのタイトルが複数のテレビ番組の映像音声データによって構成されることもある。
【０００５】
【特許文献１】再公表特許ＷＯ００／０２３８６号公報
【特許文献２】特開２００１−９４９１２号公報
【特許文献３】特開２００１−４５４１８号公報
【特許文献４】特開２００６−１５７６９７号公報
【発明の開示】
【発明が解決しようとする課題】
【０００６】
１回限りの放送である番組の場合は、図６に示すタイトル一覧の番組名から番組を特定することができる。
【０００７】
しかしながら、連続ドラマ番組の場合には、初回から最終回まですべて同じ番組名であるため、使用者は図６に示すタイトル一覧の番組名を見ても、第何回のものであるか、各回の内容がどのようなものかが分からず、不便であった。また、毎回取り上げるテーマが異なる情報バラエティ番組の場合も、毎回同じ番組名であるため、使用者は図６に示すタイトル一覧の番組名を見ても、各回のテーマがどのようなものかが分からず、不便であった。
【０００８】
なお、特許文献１で提案されている録画視聴支援方法は、ジャンルやキーワードに応じた分類番号（録画チャンネル）を録画番組に割り当てており、使用者がこの録画チャンネルを指定することにより、使用者が視聴を希望する録画番組を探索することを容易にしている。しかしながら、特許文献１で提案されている録画視聴支援方法は、録画チャンネルを切り換えなければ、個々の番組内容を把握することができず、不便であった。
【０００９】
また、特許文献２で提案されている録画再生処理方法は、録画番組に対応するＥＰＧデータを記憶し、そのＥＰＧデータをキーワード音声検索に利用しているが、使用者に対してＥＰＧデータが表示されることはなく、使用者は自分自身でキーワードを考える必要があり、キーワード音声検索の結果を参照して再生する番組を選択した後でしか個々の番組内容を把握することができず、不便であった。
【００１０】
また、特許文献３で提案されている放送データ録画装置は、録画番組に対応するＥＰＧデータを利用して録画情報管理テーブルを作成し、録画情報の整理を容易にしているが、再生する番組を選択する際に前記録画情報管理テーブルは利用されていなかったので、実際に再生する番組を選択した後でしか個々の番組内容を把握することができず、不便であった。
【００１１】
また、特許文献４で提案されている録画再生装置は、ＥＰＧデータとＥＰＧ以外のデータを参照してタイトル画像（番組名、録画日時、入力ソース、ジャンル、録画時間、録画モード、録画ユーザー情報などを表示する画像）を生成し、録画される映像／音声データの前か後にタイトル画像の映像を一定時間記録している。しかしながら、上記タイトル画像は通常の再生動作を行わなければ表示されないので、実際に再生する番組を選択した後でしか個々の番組内容を把握することができず、不便であった。
【００１２】
本発明は、上記の状況に鑑み、録画番組が同一番組名で複数回に渡って放送されるものであっても使用者が視聴を希望する録画番組を探索することを容易とする情報記録再生装置を提供することを目的とする。
【課題を解決するための手段】
【００１３】
上記目的を達成するために本発明に係る情報記録再生装置は、テレビ番組を選局するチューナと、前記チューナにより選局された録画対象のテレビ番組の映像音声データを記録媒体に記録する記録手段と、前記記録媒体に記録されている映像音声データを再生する再生手段と、前記チューナで選局された録画対象のテレビ番組の映像音声データを前記記録媒体に記録する際に前記チューナで選局された録画対象のテレビ番組のＥＰＧデータも前記チューナにより選局された録画対象のテレビ番組の映像音声データと対応させて前記記録媒体に記録させるＥＰＧ記録手段と、詳細情報表示対象のテレビ番組のＥＰＧデータを前記記録媒体から読み出し、詳細情報表示対象のテレビ番組に関する同一番組名の各回で共通していない情報を表示するための表示信号を生成する表示信号生成手段とを備える構成とする。
【００１４】
このような構成によると、詳細情報表示対象のテレビ番組に関する同一番組名の各回で共通していない情報を表示するための表示信号を生成することができるので、録画番組が同一番組名で複数回に渡って放送されるものであっても使用者が視聴を希望する録画番組を探索することが容易になる。
【００１５】
また、上記構成の情報記録再生装置において、前記表示信号生成手段が、前記詳細情報表示対象のテレビ番組のＥＰＧデータ及び映像音声データを前記記録媒体から読み出し、前記詳細情報表示対象のテレビ番組に関する同一番組名の各回で共通していない情報と前記詳細情報表示対象のテレビ番組に関するサムネイル画像とを並べて表示するための表示信号を生成してもよい。
【００１６】
このような構成によると、使用者がサムネイル画像も参照できるため、録画番組が同一番組名で複数回に渡って放送されるものであっても使用者が視聴を希望する録画番組を探索することがより一層容易になる。
【００１７】
また、上記各構成の情報記録再生装置において、前記記録媒体に記録されている映像音声データの一覧を表示するための表示信号を生成する一覧表示信号生成手段を備え、前記一覧表示信号生成手段の出力により表示手段に前記記録媒体に記録されている映像音声データの一覧が表示されている状態において、前記記録媒体に記録されている映像音声データの一覧の中から特定の映像音声データが操作手段により選択されると、前記特定の映像音声データが属するテレビ番組が前記詳細情報表示対象のテレビ番組となるようにしてもよい。
【００１８】
また、上記各構成の情報記録再生装置において、前記記録媒体をハードディスクとしてもよい。
【００１９】
また、上記各構成の情報記録再生装置において、前記ＥＰＧ記録手段が、前記チューナで選局された録画対象のテレビ番組の前記記録媒体への記録開始時に前記チューナで選局された録画対象のテレビ番組のＥＰＧデータも前記チューナにより選局された録画対象のテレビ番組の映像音声データと対応させて前記記録媒体に記録させ、前記チューナで選局された録画対象のテレビ番組の前記記録媒体への記録終了時に前記チューナで選局された録画対象のテレビ番組のＥＰＧデータを取得し、記録開始時に前記記録媒体に記録させた前記チューナで選局された録画対象のテレビ番組のＥＰＧデータから有る場合は、記録終了時における前記チューナで選局された録画対象のテレビ番組のＥＰＧデータを上書きするようにしてもよい。
【００２０】
このような構成によると、録画中に録画対象番組のＥＰＧデータが更新された場合にも対応でき、録画対象番組の最新のＥＰＧデータが記録媒体に記憶されることになる。
【発明の効果】
【００２１】
本発明に係る情報記録再生装置によると、詳細情報表示対象のテレビ番組に関する同一番組名の各回で共通していない情報を表示するための表示信号を生成することができるので、録画番組が同一番組名で複数回に渡って放送されるものであっても使用者が視聴を希望する録画番組を探索することが容易になる。
【発明を実施するための最良の形態】
【００２２】
本発明の実施形態について図面を参照して以下に説明する。本発明に係る情報記録再生装置としてここではハードディスクレコーダを例に挙げて説明する。
【００２３】
まず、本発明の第１実施形態に係るハードディスクレコーダについて説明する。
【００２４】
本発明の第１実施形態に係るハードディスクレコーダの概略構成を図１に示す。図１に示すハードディスクレコーダ１０は、地上デジタル放送受信対応となっており、チューナ部２と、信号処理部３と、制御部４と、ＨＤＤ（ハードディスクドライブ）５と、フラッシュメモリ６と、内部時計７と、リモコン受信部８と、備えている。チューナ部２にはアンテナ１が外部接続され、信号処理部３にはテレビ９が外部接続される。
【００２５】
アンテナ１は、地上デジタル放送の放送電波を受信し、受信放送電波に応じた高周波信号をチューナ部２に出力する。チューナ部２は、アンテナ１から入力された高周波信号から希望チャンネルに対応する周波数の信号を選局し、その選局された信号を中間周波信号にダウンコンバートし、その中間周波信号をデジタル復調してトランスポートストリームを取り出し信号処理部３に出力する。
【００２６】
信号処理部３は、トランスポートストリームから映像データを分離し、分離された映像データをデコードし、デコードされた映像データをアナログ映像信号に変換し、アナログ映像信号をテレビ９に出力する。
【００２７】
また、信号処理部３は、トランスポートストリームからＥＰＧデータを分離し制御部４に出力する。これにより、制御部４がＥＰＧデータを取得する。
【００２８】
また、信号処理部３は、トランスポートストリームから音声データを分離し、分離された音声データをデコードし、デコードされた音声データをアナログ音声信号に変換し、アナログ音声信号をテレビ９に出力する。
【００２９】
また、信号処理部３は、ＯＳＤ（On Screen Display）データを生成しアナログ映像信号に変換してテレビ９に出力もする。ＯＳＤデータは、例えば、ＨＤＤ５のハードディスクから読み出されるインデックスデータやＥＰＧデータに基づいて生成される。
【００３０】
また、信号処理部３は、ＨＤＤ５のハードディスクから読み出される映像音声データ（タイトル）をデコードし、デコードされた映像データをアナログ映像信号に変換し、アナログ映像信号をテレビ９に出力し、デコードされた音声データをアナログ音声信号に変換し、アナログ音声信号をテレビ９に出力する。
【００３１】
ＨＤＤ５は、ハードディスクを内蔵しており、録画時に、制御部４の制御に従って、信号処理部３においてトランスポートストリームから分離された映像音声データ（タイトル）と、そのタイトルに対応したインデックスデータと、トランスポートストリームから分離されたＥＰＧデータから抽出したそのタイトルに対応した番組のＥＰＧデータ全てとをハードディスクに書き込む。また、ＨＤＤ５は、制御部４の制御に従って、ハードディスクから映像音声データ（タイトル）を読み出して信号処理部３に送出したり、ハードディスクからインデックスデータやＥＰＧデータを読み出して信号処理部３に送出したりする。フラッシュメモリ６には各種設定情報が記憶される。内部時計７は、現在日時の計時をする。また、リモコン受信部８は、不図示のリモコン送信機から赤外線信号を受信し操作に対応するコード信号を制御部４に出力する。
【００３２】
テレビ９は、信号処理部３から入力されたアナログ映像信号に基づき映像を表示し、信号処理部３から入力されたアナログ音声信号に基づき音声を発する。
【００３３】
続いて、本発明の第１実施形態に係るハードディスクレコーダにおける録画予約又はＥＰＧ録画予約の実行動作について説明する。
【００３４】
録画予約によって予め指定された録画日の録画開始時刻又はＥＰＧ録画予約によって予め指定された録画対象番組の開始時刻になると、制御部４は、チューナ部２に録画チャンネルを選局させ、信号処理部３においてトランスポートストリームから分離されたＥＰＧデータのうち録画対象番組のＥＰＧデータ全てを抽出し、ＨＤＤ５のハードディスクに記憶させる。また、制御部４は、録画日及び録画チャンネルから成るインデックスデータを作成する。その後、制御部４は、信号処理部３においてトランスポートストリームから分離された映像音声データ（タイトル）を上記録画対象番組の全ＥＰＧデータ及び上記インデックスデータと関連づけてＨＤＤ５のハードディスクに記憶させる。そして、録画予約によって予め指定された録画日の録画終了時刻又はＥＰＧ録画予約によって予め指定された録画対象番組の終了時刻になると、制御部４は、信号処理部３においてトランスポートストリームから分離された映像音声データ（タイトル）のＨＤＤ５のハードディスクへの記憶を終了するとともに、信号処理部３においてトランスポートストリームから分離されたＥＰＧデータのうち録画対象番組のＥＰＧデータ全てを抽出し、録画開始時に記憶した録画対象番組の全ＥＰＧデータから変更が有る場合は、録画終了時における録画対象番組の全ＥＰＧデータを上書きする。これにより、録画中に録画対象番組のＥＰＧデータが更新された場合にも対応でき、録画対象番組の最新の全ＥＰＧデータがＨＤＤ５のハードディスクに記憶されることになる。
【００３５】
続いて、使用者が再生可能タイトル一覧を表示させるためのリモコン操作を行った場合における本発明の第１実施形態に係るハードディスクレコーダの動作について説明する。
【００３６】
使用者が再生可能タイトル一覧を表示させるためのリモコン操作を行うと、リモコン受信部８はリモコン送信機（不図示）からの赤外線信号を受信し再生可能タイトル一覧を表示させる旨のコード信号を制御部４に出力する。再生可能タイトル一覧を表示させる旨のコード信号を入力した制御部４は、ＨＤＤ５のハードディスクから各タイトルのインデックスデータ及び各タイトルに対応する番組の全ＥＰＧデータに含まれる番組名データを読み出し、その読み出したデータを信号処理部３に送出し、図２に示す再生可能タイトル一覧を表示するためのＯＳＤデータを信号処理部３に生成させる。これにより、テレビ９の画面表示は、図２に示す再生可能タイトル一覧表示となる。
【００３７】
テレビ９の画面表示が図２に示す再生可能タイトル一覧表示になっている状態で、使用者がリモコン送信機の「上キー」を押すと、『（録画日）８月１日  ２（ｃｈ）  （番組名）×××××』を囲っている太枠が一つ上の欄に移動し、『（録画日）８月１日  １（ｃｈ）  （番組名）○○○○○』を囲うようになり、一方、使用者がリモコン送信機の「下キー」を押すと、『（録画日）８月１日  ２（ｃｈ）  （番組名）×××××』を囲っている太枠が一つ下の欄に移動し、『（録画日）８月２日  ３（ｃｈ）  （番組名）△△△△△』を囲うようになる。このように、テレビ９が図２に示す再生可能タイトル一覧を表示している状態で、使用者がリモコン送信機の「上キー」または「下キー」を押すと、押されたキーに応じて太枠が上又は下に移動する。
【００３８】
また、テレビ９の画面表示が図２に示す再生可能タイトル一覧表示になっている状態で、使用者がリモコン送信機の「右キー」を押すと、太枠に囲われている『（録画日）８月１日  ２（ｃｈ）  （番組名）×××××』の詳細情報表示が選択される。太枠に囲われている『（録画日）８月１日  ２（ｃｈ）  （番組名）×××××』の詳細情報表示を選択する旨のコード信号を入力した制御部４は、ＨＤＤ５のハードディスクから『（録画日）８月１日  ２（ｃｈ）  （番組名）×××××』の映像音声データ及び『（録画日）８月１日  ２（ｃｈ）  （番組名）×××××』の映像音声データに対応する番組の全ＥＰＧデータを読み出し、その読み出したデータを信号処理部３に送出し、図３に示す詳細情報を表示するためのＯＳＤデータを信号処理部３に生成させる。これにより、テレビ９の画面表示は、図３に示す『（録画日）８月１日  ２（ｃｈ）  （番組名）×××××』の詳細情報表示となる。図３に示す『（録画日）８月１日  ２（ｃｈ）  （番組名）×××××』の詳細情報表示では、使用者からみて右側に『（録画日）８月１日  ２（ｃｈ）  （番組名）×××××』のサムネイル画像が表示され、使用者からみて左側に『（録画日）８月１日  ２（ｃｈ）  （番組名）×××××』の全ＥＰＧデータの一部であって、同一番組名の各回で共通していない情報（例えば、連続ドラマ番組での各回の表題や情報バラエティ番組での各回のテーマ等）が表示される。ただし、録画番組が同一番組名で複数回に渡って放送されるものでない場合は、同一番組名の各回で共通していない情報がないので、詳細情報表示の左側は空白となる。これにより、使用者は、録画番組の同一番組名の各回で共通していない情報を知ることができるので、録画番組が同一番組名で複数回に渡って放送されるものであっても使用者が視聴を希望する録画番組を探索することが容易になる。なお、図３に示す『（録画日）８月１日  ２（ｃｈ）  （番組名）×××××』の詳細情報表示において、右側に『（録画日）８月１日  ２（ｃｈ）  （番組名）×××××』のサムネイル画像を表示し、左側に『（録画日）８月１日  ２（ｃｈ）  （番組名）×××××』の全ＥＰＧデータを表示するようにしてもよい。
【００３９】
テレビ９の画面表示が図３に示す『（録画日）８月１日  ２（ｃｈ）  （番組名）×××××』の詳細情報表示になっている状態で、使用者がリモコン送信機の「再生キー」を押すと、『（録画日）８月１日  ２（ｃｈ）  （番組名）×××××』の映像音声データ（タイトル）の再生が開始される。また、テレビ９の画面表示が図３に示す『（録画日）８月１日  ２（ｃｈ）  （番組名）×××××』の詳細情報表示になっている状態で、使用者がリモコン送信機の「戻るキー」を押すと、テレビ９の画面表示が図２に示す再生可能タイトル一覧表示に戻る。また、テレビ９の画面表示が図３に示す『（録画日）８月１日  ２（ｃｈ）  （番組名）×××××』の詳細情報表示になっている状態で、使用者がリモコン送信機の「左キー」を押すと、テレビ９の画面表示が『（録画日）８月１日  １（ｃｈ）  （番組名）○○○○○』の詳細情報表示に切り替わる。また、テレビ９の画面表示が図３に示す『（録画日）８月１日  ２（ｃｈ）  （番組名）×××××』の詳細情報表示になっている状態で、使用者がリモコン送信機の「右キー」を押すと、テレビ９の画面表示が『（録画日）８月２日  ３（ｃｈ）  （番組名）△△△△△』の詳細情報表示に切り替わる。
【００４０】
次に、本発明の第２実施形態に係るハードディスクレコーダについて説明する。
【００４１】
本発明の第２実施形態に係るハードディスクレコーダの概略構成図を図４に示す。図４に示すハードディスクレコーダ２２は、地上デジタル放送受信対応となっており、チューナ部１２と、信号処理部１３と、制御部１４と、ＨＤＤ（ハードディスクドライブ）１５と、フラッシュメモリ１６と、内部時計１７と、リモコン受信部１８と、ネットワークインタフェース１９と、ＥＰＧデータ取得部２０とを備えている。チューナ部１２にはアンテナ１１が外部接続され、信号処理部１３にはテレビ２１が外部接続される。
【００４２】
アンテナ１１は、地上デジタル放送の放送電波を受信し、受信放送電波に応じた高周波信号をチューナ部１２に出力する。チューナ部１２は、アンテナ１１から入力された高周波信号から希望チャンネルに対応する周波数の信号を選局し、その選局された信号を中間周波信号にダウンコンバートし、その中間周波信号をデジタル復調してトランスポートストリームを取り出し信号処理部１３に出力する。
【００４３】
信号処理部１３は、トランスポートストリームから映像データを分離し、分離された映像データをデコードし、デコードされた映像データをアナログ映像信号に変換し、アナログ映像信号をテレビ２１に出力する。
【００４４】
また、信号処理部１３は、トランスポートストリームから音声データを分離し、分離された音声データをデコードし、デコードされた音声データをアナログ音声信号に変換し、アナログ音声信号をテレビ２１に出力する。
【００４５】
また、信号処理部１３は、ＯＳＤデータを生成しアナログ映像信号に変換してテレビ２１に出力もする。ＯＳＤデータは、例えば、ＨＤＤ１５のハードディスクから読み出されるインデックスデータやＥＰＧデータに基づいて生成される。
【００４６】
また、信号処理部１３は、ＨＤＤ１５のハードディスクから読み出される映像音声データ（タイトル）をデコードし、デコードされた映像データをアナログ映像信号に変換し、アナログ映像信号をテレビ２１に出力し、デコードされた音声データをアナログ音声信号に変換し、アナログ音声信号をテレビ２１に出力する。
【００４７】
ＨＤＤ１５は、ハードディスクを内蔵しており、録画時に、制御部１４の制御に従って、信号処理部１３においてトランスポートストリームから分離された映像音声データ（タイトル）と、そのタイトルに対応したインデックスデータと、ＥＰＧデータ取得部２０が取得したＥＰＧデータから抽出したそのタイトルに対応した番組のＥＰＧデータ全てとをハードディスクに書き込む。また、ＨＤＤ１５は、制御部１４の制御に従って、ハードディスクから映像音声データ（タイトル）を読み出して信号処理部１３に送出したり、ハードディスクからインデックスデータやＥＰＧデータを読み出して信号処理部１３に送出したりする。フラッシュメモリ１６には各種設定情報が記憶される。内部時計１７は、現在日時の計時をする。また、リモコン受信部１８は、不図示のリモコン送信機から赤外線信号を受信し操作に対応するコード信号を制御部１４に出力する。
【００４８】
テレビ２１は、信号処理部１３から入力されたアナログ映像信号に基づき映像を表示し、信号処理部１３から入力されたアナログ音声信号に基づき音声を発する。
【００４９】
続いて、本発明の第２実施形態に係るハードディスクレコーダにおける録画予約又はＥＰＧ録画予約の実行動作について説明する。
【００５０】
録画予約によって予め指定された録画日の録画開始時刻又はＥＰＧ録画予約によって予め指定された録画対象番組の開始時刻になると、制御部１４は、ＥＰＧデータ取得部２０がネットワークインタフェース１９を介してインターネット経由でＥＰＧデータ配信サーバ（不図示）にアクセスし録画対象番組のＥＰＧデータ全てを取得するようにＥＰＧデータ取得部２０を制御し、ＥＰＧデータ取得部２０が取得した録画対象番組の全ＥＰＧデータをＨＤＤ１５のハードディスクに記憶させる。そして、制御部１４は、チューナ部１２に録画チャンネルを選局させ、録画日及び録画チャンネルから成るインデックスデータを作成する。その後、制御部１４は、信号処理部１３においてトランスポートストリームから分離された映像音声データ（タイトル）を上記録画対象番組の全ＥＰＧデータ及び上記インデックスデータと関連づけてＨＤＤ１５のハードディスクに記憶させる。そして、録画予約によって予め指定された録画日の録画終了時刻又はＥＰＧ録画予約によって予め指定された録画対象番組の終了時刻になると、制御部１４は、信号処理部１３においてトランスポートストリームから分離された映像音声データ（タイトル）のＨＤＤ１５のハードディスクへの記憶を終了するとともに、ＥＰＧデータ取得部２０がネットワークインタフェース１９を介してインターネット経由でＥＰＧデータ配信サーバ（不図示）にアクセスし録画対象番組のＥＰＧデータ全てを取得するようにＥＰＧデータ取得部２０を制御し、録画開始時に記憶した録画対象番組の全ＥＰＧデータから変更が有る場合は、録画終了時における録画対象番組の全ＥＰＧデータを上書きする。これにより、録画中に録画対象番組のＥＰＧデータが更新された場合にも対応でき、録画対象番組の最新の全ＥＰＧデータがＨＤＤ１５のハードディスクに記憶されることになる。
【００５１】
使用者が再生可能タイトル一覧を表示させるためのリモコン操作を行った場合における本発明の第２実施形態に係るハードディスクレコーダの動作については、各部に付した符号が異なるだけで、使用者が再生可能タイトル一覧を表示させるためのリモコン操作を行った場合における本発明の第１実施形態に係るハードディスクレコーダの動作と同様であるので、説明を省略する。
【００５２】
なお、上述した実施形態では本発明をハードディスクレコーダに適用したが、本発明はこれに限らず、ＤＶＤレコーダ等の他の情報記録再生装置にも適用可能である。また、上述した実施形態では本発明を地上デジタル放送受信対応のハードディスクレコーダに適用したが、本発明はこれに限らず、他の放送（例えばＢＳデジタル放送）を受信する情報記録再生装置にも適用可能である。
【００５３】
また、上述した実施形態では、ハードディスクに記録するタイトルに対応した番組のＥＰＧデータ全てをハードディスクに書き込む態様であったが、同一番組名の各回で共通していない情報の表示が可能であれば、ハードディスクに記録するタイトルに対応した番組のＥＰＧデータの一部をハードディスクに書き込む態様であっても構わない。
【００５４】
また、上述した実施形態では、再生可能タイトル一覧表示と、再生可能タイトル一覧から選択されたタイトルの詳細情報表示とが別個であったが、再生可能タイトル一覧表示の際に各タイトルの詳細情報（サムネイル画像や同一番組名の各回で共通していない情報）を一緒に表示するようにしてもよい。この場合、再生可能タイトル一覧で表示されている全タイトルに対応するテレビ番組全てが、詳細情報表示対象のテレビ番組となる。
【図面の簡単な説明】
【００５５】
【図１】は、本発明の第１実施形態に係るハードディスクレコーダの概略構成を示す図である。
【図２】は、図１に示すハードディスクレコーダに外部接続されるテレビが表示する再生可能タイトル一覧表示を示す図である。
【図３】は、図１に示すハードディスクレコーダに外部接続されるテレビが表示する所定のタイトルの詳細情報表示を示す図である。
【図４】は、本発明の第２実施形態に係るハードディスクレコーダの概略構成を示す図である。
【図５】は、従来の情報記録再生装置に外部接続されるテレビが表示するインデックス一覧表示の一例を示す図である。
【図６】は、従来の情報記録再生装置に外部接続されるテレビが表示するインデックス一覧表示の他の例を示す図である。
【符号の説明】
【００５６】
１、１１  アンテナ
２、１２  チューナ部
３、１３  信号処理部
４、１４  制御部
５、１５  ＨＤＤ（ハードディスクドライブ）
６、１６  フラッシュメモリ
７、１７  内部時計
８、１８  リモコン受信部
９、２１  テレビ
１０、２２  ハードディスクレコーダ
１９    ネットワークインタフェース
２０    ＥＰＧデータ取得部
【図１】
2009049802.tif 000003
【図２】
2009049802.tif 000004
【図３】
2009049802.tif 000005
【図４】
2009049802.tif 000006
【図５】
2009049802.tif 000007
【図６】
2009049802.tif 000008